(57)【要約】      （修正有）【課題】鉱石類を使用しその効能の出し方を明確にし、その効能であるマイナスイオン・遠赤外線等を発生させるサウナ装置又、一般建築用床暖房に使用できる現場作業等の合理化が出来、工場加工製造が出来るパネル盤装置を提供する。【解決手段】マイナスイオン・遠赤外線等を発生させ、又パネル板に寝そべる事に依り背中より除々に温熱を受け空気中の湿度の助けを借り人体に発汗作用を起させるサウナ装置。又、一般建築用床暖房に使用できるパネル盤装置又は、ＣＯ２の発生を極力押さえた省エネルギー装置で低温コスト維持管理が出来、上層部のパネル板を取り外し、下層部のイオン生成材の上に流通性の良い板を敷並べる事により、温熱を加える事によってマイナスイオン・遠赤外線発を生させ、床下から健康に良い床暖房が完成出来る装置。【選択図】図１
2006263402.tif 000002
【特許請求の範囲】
【請求項１】
パネル底面に温水送水管を配管する又は、中心部の所は、間隔を詰めて外周は広目に配置し温水を送水する。中升の型枠を作成し、床面及び中升周囲を天然軽量焼石コンクリート又は・パーライト素材で練り固める。その中升の中にトルマリン鉱石・北投石・ラジュウム鉱石・麦飯石・マイナスイオン・遠赤外線発生生成材鉱石を搬入し底面の温熱配管からの温熱でパネル板全体が温める。先願荻原大整理番号・Ｐ０４０Ｈ０１  特願２００４−２９４７（Ｐｒｏｏｆ）提出日・平成１６年１０月７日の床暖房装置を工場生産を行い、上層部のパネル板に温熱が伝道させ、マイナスイオン・遠赤外線等の発生できる装置。
【請求項２】
部屋全体を輻射熱反射装置で包む壁体・（部屋６面）出口以外は温度が出ないように作成する事により低温度でマイナスイオン・遠赤外線が発生できるパネル盤装置を上層に敷き下層にもマイナスイオン・遠赤外線が発生出来る床暖房を並べる事により効果的なサウナに利用出来る。
【請求項３】
上層部に先願荻原大提出日平成１６年１０月７日出願のシンダーコンクリート（黒曜石系パーライト混入）パネルにトルマリン鉱石と黒曜石を粉末にしたものを球状に焼き上げたセラミックス状の球玉、又はイオン発生生成材鉱石等を一定数量整然と植設しトルマリン鉱石を筒状の通気筒に投入したパネル板装置をサウナに使用することが最適ある。
【請求項４】
下層パネル盤と上層パネル盤をセットにした製品を工場加工製造が出来る事が特徴の装置ある。
【請求項５】
一般住宅及び建築物に下層パネル盤の中升にマイナスイオン・遠赤外線等の生成材を搬入し、パネル盤の所に流通の良い穴板を蓋に敷く事によって、マイナスイオン・遠赤外線の発生が出来る床暖房装置に使用できる。黒曜石を使用する事により抗菌作用とマイナスイオンが発生して最高の健康床暖房装置となる。
【発明の詳細な説明】
【技術分野】
【０００１】  本発明は先願荻原大整理番号・Ｐ０４０Ｈ０１特願２００４−２９４７０４提出日平成１６年１０月７日出願の床暖房装置をパネル化して、中升の中にトルマリン鉱石・黒曜石・北投石・麦飯石・ラジュウム鉱石等の鉱石を搬入して、温熱を加え、マイナスイオン・遠赤外線を発生させ黒曜石熱加工のパーライトを練り合わせした（シンダーコンクリート）を使用する事により、輻射熱がパーライトに蓄積される。又、軽量になり運搬と現場作業等の合理化を改善したパネル。
サウナ関係又は床暖房に使用する事により、人体に様々な健康利点になるパネル装置である。
【背景技術】
【０００２】  近年、トルマリン、ラジュウム鉱石、麦飯石等のマイナスイオンを発生し易い物質（マイナスイオン生成材）を用いる種々のサウナが開発され、使用され始めている。このようなマイナスイオン生成材はその生成材に触れた空気、水等をマイナスイオン化でき、その生成材を加熱、加圧等をすると、簡単にマイナスイオンを発生させる事ができる。しかも、遠赤外線を発生する。それ故、マイナスイオン生成材を用いたサウナに入ると、そのマイナスイオン、遠赤外線による優れた健康、美容効果を享受できる。又サウナの低温化が可能であるため、低温化により普通のサウナのように暑苦しくなく、我慢をしながら汗を搾り出す必要もなくて長時間いても快適に過ごせる。【０００３】  このようなマイナスイオンサウナとして、気密生、断熱性の高い部屋に、一般的に市販されているような温度設定が可能な床暖房システムを敷き、その上に球砂入りモルタルにトルマリン粉末、小豆大のトルマリン原石をまぜたものを床材として盛り、横たわった人の肩、腰、に当るように、トルマリン入りのタイル又は陶器当を埋め込み、モルタルを固化させた岩盤を完成し、更にその岩盤を仕切ってベッド通路を形成して、ベッドの周囲に並べ、通路に若干の窪みを夫々設け、そこに水気が溜まるようにし、水蒸気が発生し易い環境にして、室内の温度を調整するようにしたものが提示されている。
【特許文納１】
特開２００４−１３００４７
【発明の開示】
【発明が解決しようとする課題】
【０００４】  このようなサウナ関係の床暖房装置は現場作成作業とトルマリンの量が多くできず、マイナスイオンや遠赤外線を多量に発生し難い。一般的に市販されているような床暖房システムを敷くだけでは床部の断熱効果を大きくできない。【０００５】  本発明はこのような従来の問題点に着目してなされたものであり、マイナスイオンや遠赤外線を多量に発生し易く、その多量のマイナスイオンや遠赤外線よる効果が得られると共に、身体の温熱効果が得られ、床部の断熱効果が大きく、マイナスイオン・遠赤外線生成材を多量に使用ができ、省エネルギーに優れた床暖房装置を提供する事を目的とする。【０００６】  床パネル盤底面に温水管通し、中升を作成し、高断熱性能を有するマイナスイオン生成材及び鉄筋入りコンクリートを工場加工で作成する。現場サウナ等に据え付ける。その中升にマイナスイオン生成材を多量に搬入し、そのコンクリートパネル配管に加熱用温水管を接続して備え付ける。
【発明の効果】
【０００７】  本発明のマイナスイオン発生パネルの底部に加熱用温水管を熱源として備え付ける事により、その加熱温水管から発生する熱をマイナスイオン生成鉱石材と部屋内の空気が加熱され、所定温度に達成する。【０００８】  サウナ以外の床冷暖房に使用する場合は、本発明のパネル盤上部に流通性の良い板を張り使用することにより床冷暖房になる。【０００９】  サウナの床暖房に使用する場合は、先願荻原大、整理番号・Ｐ０４０Ｈ０１・特願２００４−２９４７０４（Ｐｒｏｏｆ）（提出日・平成１６年１０月７日）のマイナスイオンサウナに関する出願のトルマリンパネル盤を上部に重ねることにより効果的な暖房マイナスイオン・遠赤外線発生装置となる
【発明を実施するための最良の形態】。【００１０】  以下、添付の図１〜６を参照して、本発明の実施の最良形態を説明する。
図１は本発明を適用した１人用マイナスイオン発生床暖房にトルマリンパネルをセットにした断面図、図２は床暖房パネル盤のイオン生成材を搬入する中升の断面図、図３床暖房パネル型枠の底部にメッシュ筋と温熱管を敷き約１０ｃｍの厚さに、シンダーコンクリート（例、セメント１０％・砂３０％・パーライト６０％）練り合わせて打ち、中升深さ１０ｃｍの升を設置して四方にシンダーコンクリートで固め、その中升の中にマイナスイオン発生生成材を搬入した平面図、図４トルマリン球の断面図、図５トルマリンパネル盤の平面図、図６床暖房の完成絵図。【００１１】  トルマリン鉱石や黒曜石等を使用するに当り、鉱石の使用量の問題がある。わずかばかりの鉱石を置いたばかりで効能は題目に過ぎず、質も必要であるが、効能を出す為の装置の開発が大きなポイントで有る。
トルマリン鉱石の特徴を高温によってマイナスイオン等を取り出せば良いと言う事はほぼわかっているが、その適切な方法が確立されていない。【００１２】            長野県和田峠産黒曜石の成分含有率（％）
１  珪酸（無水珪酸）    ７６．３６      ２  酸化アルミニウム    １２．４０
３  酸化カリウム        ４．１２        ４  三酸化鉄              １．０５
５  酸化カルシウム      ０．４７        ６  酸化マンガン          ０．１８
７．酸化マグネシウム    ０．１４．      ８  リン              ３００ｐｐｍ
９  スズ            ２５０ｐｐｍ．    １０  ホウ素            １５０ｐｐｍ
１１  モリブデン      ９０ｐｐｍ      １２  リチウム            ８６ｐｐｍ
１３  ニッケル        ３８ｐｐｍ      １４  コバルト            ３０ｐｐｍ
１５  銀              ２０ｐｐｍ      １６  銅                  ２０ｐｐｍ
１７  亜鉛            ２０ｐｐｍ      １８  ストロンチウム      １０ｐｐｍ【００１３】  黒曜鉱石は、銀銅・亜鉛等の抗菌性金属元素を含有し、サウナ内で使用する事により温熱で高気性に維持する大きな役目を果たしている。特に長野県和田峠産の黒曜石は効能が大きい。【００１４】ランニングコストに関しては、先願特許２００４−２９４７０４（Ｐｒｏｏｆ）提出日平成１６年１０月７日荻原大が出願後本サウナ体験装置施工にて更に大きな成果が上がって省エネルギー効果として確認できた。【００１５】高温サウナには特筆すべき冷えの問題がある。短時間に無理な受熱に依る体の芯まで温まらないと言う現象は、いわば一種の冷汗と同様で、長時間ゆっくりと体温を上昇させる事に依る効果の正反対の結果が出る事はわかっている。
体の芯まで温める事の重要性は一見無関係に見える事だが石鹸の必要が無く体の有用な資質を残し、無駄な老廃物のみ吹き出させる効能がある事や、人間  の持ち合わせている芯底に有る健全化機能を活性化する事によって必然的に体が蘇ること。それは全ての根源で有ると同時に血液の流れも良くする。血管内をきれいにすると言う活気的な装置である。【００１６】２の下層のパネル板を並べて温熱管を接続し、中升の中にイオン発生生成材を搬入して、２の下層の上に１の上層パネル盤を乗せてサウナ用に完成できる。
２の下層に１２温熱入口管とボイラーの温水を接続して温水を循環させる。
５のマイナスイオン生成材に温熱が加わり、マイナスイオン。遠赤外線等が発生すし、１の上層トルマリンパネル盤に温熱が伝わり、４のトルマリン球に温熱が加わり、マイナスイオン温熱が身体の芯まで温まる。
下層の升の中に多量のイオン発生鉱石生成材が搬入でき、又、黒曜石パーライトを使用したシンダーコンクリートからマイナスイオン等が発生し、又、パーライト特有の輻射熱蓄積が有る為低温で温める為健康促進と省エネに役達。【００１７】  （１）は体を横たわるパネル盤である・図−１に詳細図を示す。パネルの大さは、適宜で良いが本実施例では、２０００×９００×１００Ｈ外枠共の寸法をとっている。パネルの主性分は長野県和田峠の黒曜石を砕いて約９００〜１０００℃で発砲させパーライトを使い、熱伝導率が０．２〜０．３Ｋｃａｌ／ｍｈ℃となる様調合する。
又（１０）パネルの強度をもたせるため１００ｍｍ厚の中に５×１００×１００のメッシュ筋を２段に配しパネル重量が約２００ｋｇ程度になるためその鉄筋にも４箇所のＳＵＳ３０４製の高ナット（４）を溶接し、両面に配すと搬入搬出配置替に良い。更にこのパネルにはイオン通気筒（１６）を取り付け、直径５０の筒状で貫通穴通して、下面にＳＵＳ製の網を設け中にはイオン生成材鉱石をいれる。
実施例はトルマリン鉱石を封入してあるものを３列に設置し全部に１５箇所ありその他にトルマリンの粉末と黒曜石をそれぞれ焼成し直径２０ｍｍの球状体（１９）を６５４ヶを植設してあるが脱落しないように約２／３は埋め込む構造としてある。この球の芯材（２０）は黒曜石。球の正面にはトルマリン粉末で練り上げた（１９）を約８００〜９００℃で焼成したものである。
これらの（１９）及び（２０）はどちらもマイナスイオンや遠赤外線を放出し、体を芯から温める役目をすると同時に体のツボに作用して発汗作用を促進するのに好適である。
又パネル自体の黒曜石系パーライトモルタルの性格は熱伝導率０．２〜０．３Ｋｃａｌ／ｍ２ｈ℃の為下層（１４）より伝道された熱は体を温める為に最適な速さで次々と熱を供給する性格を持ち、一度に熱移動は起さず極めて体の芯を温める為に良好な働きをし、このサウナに欠かせない要件である。
又パネルの外周にはシンダーコンクリートを保護し、固定用の木部（１１）縁枠を取り付けた構造としてある。【００１８】  床暖房下層（２）の底面に（１６）温水管を配置し、（１４）の温水管口にボイラーからの温水管を接続する。
下層（２）の底面に（３）温水管の下にメッシュ筋を設置し、又（３）温水管の上にもメッシュ筋を設置して強度を持たせる。図−６底面に（２１）水抜き排水穴を設置する。下層の（８）の升を作成する為に（８）の木枠を取り付けてシンダーコンクリートで周囲を固める。【００１９】図−６下層が完成後、サウナ現場に設置して、床暖房のパネル盤と次のパネル盤との接続方法は、（１３）の温熱出口管と、次の（１２）温熱入口管を差し込みソケットで接続し確認の後（１５）の升の中にコンクリートで固める。【００２０】    以上の方法で図−６床暖房が完成。（８）の中升にイオン発生生成材鉱石を搬入する。温水出口のパイプに次の図−６下層を必要の数を並べ、取り付けて設置し最終下層の（１３）温水出口をボイラーに接続して温水を循環する。
図が無いが、温水を循環する為に循環ポンプとボイラーが必要である。【００２１】  下層が設置後、図−６配管温水漏れのテスト等を行い確認し、図−６下層の上に（１）上層トルマリンパネル盤をセットにしてサウナに使用する。【００２２】  一般建築床暖房に使用する時は、図−６下層の中升に必要に応じてイオン発生生成材又は、（黒曜石）等を搬入し、温熱イオンが流通性の良い蓋をセットして使用する事ができる。【００２３】  この発明パネル使用方法の重点は、室内をマホーピンのように内部の空気と外部の空気を完全に遮断できる建築方法が必要である。室内の良好により、省エネ効果が最高になり、又低温でマイナスイオン・遠赤外線等が室内に充満し、呼吸する事で身体が活性化する。換気扇等を必ずセットする事が重要である。建築床暖房に使用する場合は、建物に関して窓サッシを外気温と完全流通性が出来ないように遮断できる窓用サッシ其の他断熱資材等を使用する事が重要点である。【００２４】  この装置は熱源を床の発熱に求め、床温の上昇によって室温を達成しようとするもので、しかも熱伝道率と熱源そのものを通常の昇温装置（先行技術）比べると非常に低くしてあることを特徴としており、この為に柔らかい室温やマイナスイオン・遠赤外線・又湿度等が、他に類を見ない程よく練れた状態で室環境を作りだすと言う大きな特徴を持っている。【００２５】  先願特許申請、荻原大  整理番号Ｐ０４０Ｈ０１  特願２００４−２９４７０４（ｒｏｏｆ）提出日平成１６年１０月７日の現場作業の床暖房配管其の他の工事等を工場加工生産に改良を加え、現場施工を工場加工で合理化ができる。体験場を当社に施設し３０００人以上の体験者の反応が良好である。【００２６】  最も大きな効果として室温が低温である事や、空気の柔らかさ等が作用してゆっくり時間をかけて発汗する事が出来、その為女性や弱者・病気がちな人等、普段汗のかく事が出来ない人達の為に最適といえる装置であると共に無論健康な人でも又スポーツ選手にも温め疲労回復をさせる著効がある。【００２７】  言うまでもなく、ここに使われている鉱石類（トルマリン鉱石・黒曜石・ラジューム鉱石・麦飯石その他の鉱石等）がその特性をだしている為いろいろな効能が有り、明らかに医療に対しても著効が有ると思われる。【００２８】  今まで述べて来た床暖房パネルサウナ装置と営業用多人数用装置であるが、同様の原理で各家庭でも使用出来る１人用サウナも可能である。
【図面の簡単な説明】
【００２９】
【図１】本発明を適用した１人用マイナスイオン・遠赤外線発生出来る床暖房にトルマリンパネル盤をセットにしたサウナ用の断面図。
【図２】中升に多量のイオン生成材を搬入できる断面図。
【図３】パネル盤に温熱配管と中升にイオン生成材を搬入し、パネル盤の接続方法の断面図
【図４】トルマリンパネル盤に使用する、トルマリン球の断面図・
【図５】上層部にセットにするトルマリンパネル盤の平面図。
【図６】下層部床パネルにイオン生成材を搬入できる床暖房の絵。
【符号の説明】
１    上層トルマリンパネル盤。
２    下層床暖房パネル盤。
３    温熱管。
４    トルマリン球。
５    マイナスイオン生成材。
６    上下パネル盤の重なる境、位置。
７    床暖房の外周  縁枠。
８    中升の縁枠。
９    トルマリンイオン筒。
１０  トルマリンパネルのメッシュ筋。
１１  中升。
１２  床暖房パネルのメッシュ筋。
１３  温熱出口管。
１４  シンダーコンクリート。
１５  温熱管接続用の升。
１６  イオン筒。
１７  吊り込用金具。
１８  トルマリン鉱石。
１９  トルマリン鉱石。
２０  黒曜石。
２１  排水穴。
【図１】
2006263402.tif 000003
【図２】
2006263402.tif 000004
【図３】
2006263402.tif 000005
【図４】
2006263402.tif 000006
【図５】
2006263402.tif 000007
【図６】
2006263402.tif 000008